(57)【要約】【課題】ＲＦ波を使っての癌病巣の治療照射素子は、ＲＦ波を癌病巣に照射することで壊死せしめる機能を持つ。このＲＦ波照射素子において、安全で確実に病巣部への照射を可能にしたい。【解決手段】このＲＦ照射素子は、ＲＦ発振源１と、ＲＦ発振源の出力例に設けた二次側中点接地のトランス２と、この二次例の両端を介した電気経路の先端に設けた照射部からＲＦ波を送出せしめる。照射部は第１照射端１１ａと、第２照射端１１ｂより成り、この両端の間に病巣を位置せしめる。第１、第２照射端１１ａ、１１ｂは、傘骨状アンテナ１１ｄ、１１ｃを持つ。更にプローブ化した照射素子を提供する。【選択図】図１
2007296318.tif 000002
【特許請求の範囲】
【請求項１】
ＲＦ発振源と、
ＲＦ発振源の出力側に設けられ、その一次側にＲＦ発振信号が印加されると共に、その二次側の中点が接地されたトランスと、
トランスの二次側の両端につながる送出電気経路と、
この送出電気経路の出力端であって、被検体病巣部にＲＦ波を照射するための第１、第２の照射端子と、
第１、第２照射端子を除く送出電気経路の周囲を対地シールド化する接地導体部と、
この接地導体部の周囲を覆う外周絶縁体部と、
を備えた被検体病巣用ＲＦ波照射素子。
【請求項２】
ＲＦ発振源と、
ＲＦ発振源の出力側に設けられ、その一次側にＲＦ発振信号が印加されると共に、その二次側の中点が接地されたトランスと、
トランスの二次側の両端である第１、第２出力端子につながり、被検体病巣部位にＲＦ波を照射するための照射部と、
を備え、
照射部は、
病巣部位に穿刺する穿刺部と、非穿刺部と、より成り、
非穿刺部は、トランスの二次側の両端である第１、第２出力端子からのＲＦ信号を送出する第１、第２の送出電気経路と、この第１、第２の送出電気経路を囲むようにして設けられて対地シールドを行う接地導体部と、この接地導体部を覆う外周絶縁体部を具え、
穿刺部は、非穿刺部の第１の送出電気経路につながる中空の第１導体と、第２の送出経路につながり上記中空な第１の導体を非接触で貫通し第１の導体先端から突出自在とする第２の導体と、を具え、第１導体と第２導体とのそれぞれの先端側との間でＲＦ波を放射させるものとした被検体病巣用ＲＦ波照射素子。
【請求項３】
上記第２の導体は先端に開閉自在なアンテナを持ち、中空な第１の導体内部にあっては閉とし、中空な第１の導体から突出しての外部にあっては開とする請求項２の被検体病巣用ＲＦ波照射素子。
【請求項４】
上記中空な第１の導体の先端に、第２の導体が外部に突出した状態で、開とするアンテナを持つものとする請求項３の被検体病巣用ＲＦ波照射素子。
【請求項５】
上記アンテナは傘骨状アンテナとする請求項３又は４の被検体病巣用ＲＦ波照射素子。
【請求項６】
上記トランスの二次側の第１、第２出力端子をケーブル化し、このケーブルの先端にコネクタを設け、上記照射部の第１、第２の送出電気経路の入力端を、このコネクタに着脱自在に取付け可能にした請求項２の被検体病巣用ＲＦ波照射素子。
【請求項７】
ＲＦ発振源と、
ＲＦ発振源の出力側に設けられ、その一次側にＲＦ発振信号が印加されると共に、その二次側の中点が接地されたトランスと、
トランスの二次側の両端である第１、第２出力端子につながり、被検体病巣部位にＲＦ波を照射するための照射部と、
を備え、
照射部は、
病巣部位に穿刺する穿刺部と、非穿刺部と、より成り、
非穿刺部は、トランスの二次側の両端である第１、第２出力端子からのＲＦ信号を送出する第１、第２の送出電気経路と、この第１、第２の送出電気経路を囲むようにして設けられて対地シールドを行う接地導体部と、この接地導体部を覆う外周絶縁体部を具え、
穿刺部は、非穿刺部の第１の送出電気経路につながる中空の第１導体と、第２の送出経路につながり上記中空な第１の導体を非接触で貫通し第１の導体先端から突出自在とする第２の導体と、を具え、第１導体と第２導体とのそれぞれの先端側との間でＲＦ波を放射させるものとし、
上記第２の導体は先端に開閉自在なアンテナを持ち、このアンテナは中空な第１の導体内部にあっては閉となり、中空な第１の導体から突出しての外部にあっては開となるものであって、更に、上記中空な第１の導体の先端に、第２の導体が外部に突出した状態で、開となるアンテナを持つものとし、
上記トランスの二次側の第１、第２出力端子をケーブル化し、このケーブルの先端にコネクタを設け、上記照射部の第１、第２の送出電気経路の入力端を、このコネクタに着脱自在に取付け可能にし、
更に上記外周絶縁体部の外周に上記アンテナ開閉用の操作部を設けたことを特徴とする被検体病巣用ＲＦ波照射素子。
【請求項８】
ＲＦ発振源と、
ＲＦ発振源の出力側に設けられ、その一次側にＲＦ発振信号が印加されると共に、その二次側の中点が接地されたトランスと、
トランスの二次側の両端につながる送出電気経路と、
この送出電気経路の出力端であって、被検体病巣部にＲＦ波を照射するための第１、第２の照射端子と、
上記ＲＦ発振源及び第１、第２照射端子を除く送出電気経路の周囲を対地シールド化する接地導体部と、
少なくとも上記送出電気経路の接地導体部の周囲を覆う外周絶縁体部と、
を備えた被検体病巣用ＲＦ波照射素子。
【請求項９】
上記ＲＦ発振源は、ＲＦ発振部と、その出力側に設けられＲＦ信号を通過させる帯域通過フィルタと、直流電源と、この出力側に設けた低域通過フィルタと、より成り、帯域通過フィルタの出力側と低域通過フィルタの出力側とが上記トランスの一次側の両端子に接続されているものとした被検体病巣用ＲＦ波照射素子。
【請求項１０】
上記接地導体部は、電磁シールド機能を持たせた請求項１、２、８のいずれかの被検体病巣用ＲＦ波照射素子。
【請求項１１】
ＲＦ発振源と、
ＲＦ発振源の出力側に設けられ、その一次側にＲＦ発振信号が印加されると共に、その二次側の中点が接地されたトランスと、
トランスの二次側の両端である第１、第２出力端子につながり、被検体病巣部位にＲＦ波を照射するための第１、第２の照射部と、
を備え、
第１の照射部は、
病巣部位に穿刺する穿刺部と、非穿刺部と、より成り、
非穿刺部は、トランスの二次側の対応する出力端子からのＲＦ信号を送出する送出電気経路と、この送出電気経路を囲むようにして設けられて対地シールドを行う接地導体部と、この接地導体部を覆う外周絶縁体部を具え、
穿刺部は、非穿刺部の送出電気経路につながる先端が針状の第１の中空導体を備え、
第２の照射部は、
病巣部位に穿刺する穿刺部と、非穿刺部と、より成り、
非穿刺部は、トランスの二次側の対応する出力端子からのＲＦ信号を送出する送出電気経路と、この送出電気経路を囲むようにして設けられて対地シールドを行う接地導体部と、この接地導体部を覆う外周絶縁体部を具え、
穿刺部は、非穿刺部の送出電気経路につながる第２の中空導体を備え、
第１の中空導体と第２の中空導体とのそれぞれの先端側との間でＲＦ波を放射させるものとした被検体病巣用ＲＦ波照射素子。
【請求項１２】
ＲＦ発振源と、
ＲＦ発振源の出力側に設けられ、その一次側にＲＦ発振信号が印加されると共に、その二次側の中点が接地されたトランスと、
トランスの二次側の両端である第１、第２出力端子につながり、被検体病巣部位にＲＦ波を照射するための第１、第２の照射部と、
を備え、
第１の照射部は、
病巣部位に穿刺する穿刺部と、非穿刺部と、先端針状のガイド針と、より成り、
非穿刺部は、トランスの二次側の対応する出力端子からのＲＦ信号を送出する送出電気経路と、この送出電気経路を囲むようにして設けられて対地シールドを行う接地導体部と、この接地導体部を覆う外周絶縁体部を具え、
穿刺部は、非穿刺部の送出電気経路につながる先端が開口の第１の中空導体を備え、
ガイド針は、非穿刺部と穿刺部との内部を通り穿刺部の先端開口より突出可能として、穿刺部の病巣部への誘導を行うものとし、
第２の照射部は、
病巣部位に穿刺する穿刺部と、非穿刺部と、先端針状のガイド針と、より成り、
非穿刺部は、トランスの二次側の対応する出力端子からのＲＦ信号を送出する送出電気経路と、この送出電気経路を囲むようにして設けられて対地シールドを行う接地導体部と、この接地導体部を覆う外周絶縁体部を具え、
穿刺部は、非穿刺部の送出電気経路につながる第２の中空導体を備え、
ガイド針は、非穿刺部と穿刺部との内部を通り穿刺部の先端開口より突出可能として、穿刺部の病巣部への誘導を行うものとし、
第１の中空導体と第２の中空導体とのそれぞれの先端側との間でＲＦ波を放射させるものとした被検体病巣用ＲＦ波照射素子。
【請求項１３】
それぞれ２つの出力端子を持つ第１、第２のＲＦ発振部と、
第１、第２、第３、第４の照射端子と、
上記第１、第２のＲＦ発振部の、それぞれの第１、第２の出力端子と第１、第２、第３、第４の照射端子との間に設けられ、出力端子と照射端子との組合せをサイクリックに変更させるスイッチ手段と、
を備えた被検体病巣用ＲＦ波照射装置。
【請求項１４】
上記第１、第２のＲＦ発振部のそれぞれは、ＲＦ発振源と、ＲＦ発振源の出力側に設けられ、その一次側にＲＦ発振信号が印加されると共に、その二次側の中点が接地されて２つの出力端子を持つトランスと、を備えた請求項１３の被検体病巣用ＲＦ波照射装置。
【発明の詳細な説明】
【技術分野】
【０００１】
本発明は、ＲＦ（ラジオフリケンシー）波を照射して腫瘍等の病巣治療に使用する被検体の病巣用ＲＦ波照射素子に関する。
【背景技術】
【０００２】
被検体の癌腫瘍等の病巣の除去には、Ｘ線、電波、超音波等の各種のエネルギー照射法、凍結と解凍とで壊死させる凍結法、等がある。
凍結法を使用した公知文献には以下のものがある。
【非特許文献１】雑誌「医学のあゆみ」（Ｖｏｌ．２０６Ｎｏ．３，２００３．７．１９）。川村他著「肺癌の凍結融解壊死療法」（Ｐ２２９〜Ｐ２３１）。
【非特許文献２】雑誌「低温医学」（３０巻、２００４）。中塚、川村他著「ＣＴ透視を用いた肺悪性腫瘍に対する経皮的凍結療法の実際」（Ｐ９〜Ｐ１５）。
【０００３】
ＲＦの照射では、数１００ＫＨｚの高周波を病巣に照射して腫瘍等の壊死をはかる。この時の供給電力は数１０Ｗである。
【発明の開示】
【発明が解決しようとする課題】
【０００４】
数１０Ｗの供給電力は人体、例えば肺癌の肺部にとっては極めて大きな電力であり、照射には、充分に安全を確保する必要がある。
然るに雷などによるサージ電流等の外部ノイズが照射経路に混入する恐れもあり、純粋なＲＦ波の照射の確保、照射経路上でのノイズの混入の防止が必要である。更に、外部ノイズとして、インバータ仕様による回生電力中での各種の高周波ノイズがある。こうしたノイズの除去をはかり、安定したＲＦ波の照射が必要である。
本発明の目的は、ノイズの混入を防止し、安全で確実なＲＦ波の照射を可能にするＲＦ波照射素子を提供することにある。
【課題を解決するための手段】
【０００５】
本発明は、ＲＦ発信源と、
ＲＦ発振源の出力側に設けられ、その一次側にＲＦ発振信号が印加されると共に、その二次側の中点が接地されたトランスと、
トランスの二次側の両端につながる送出電気経路と、
この送出電気経路の出力端であって、被検体病巣部にＲＦ波を照射するための第１、第２の照射端子と、
第１、第２照射端子を除く送出電気経路の周囲を対地シールド化する接地導体部と、この接地導体部の周囲を覆う外周絶縁体部と、
を備えた被検体病巣用ＲＦ波照射素子を開示する。
【０００６】
更に本発明は、ＲＦ発振源と、
ＲＦ発信源の出力側に設けられ、その一次側にＲＦ発振信号が印加されると共に、その二次側の中点が接地されたトランスと、
トランスの二次側の両端である第１、第２出力端子につながり、被検体病巣部位にＲＦ波を照射するための照射部と、
を備え、
照射部は、
病巣部位に穿刺する穿刺部と、非穿刺部と、より成り、
非穿刺部は、トランスの二次側の両端である第１、第２出力端子からのＲＦ信号を送出する第１、第２の送出電気経路と、この第１、第２の送出電気経路を囲むようにして設けられて対地シールドを行う接地導体部と、を具え、
穿刺部は、非穿刺部の第１の送出電気経路につながる中空の第１導体と、第２の送出経路につながり上記中空な第１の導体を非接触で貫通し第１の導体先端から突出自在とする第２の導体と、を具え、第１導体と第２導体とのそれぞれの先端側との間でＲＦ波を放射させるものとした被検体病巣用ＲＦ波照射素子を開示する。
【０００７】
更に本発明は、前記第２の導体は先端に開閉自在なアンテナを持ち、中空な第１の導体内部にあっては閉とし、中空な第１の導体から突出しての外部にあっては開とする被検体病巣用ＲＦ波照射素子を開示する。
【０００８】
更に本発明は、前記中空な第１の導体の先端に、第２の導体が外部に突出した状態で、開とするアンテナを持つものとする被検体病巣用ＲＦ波照射素子を開示する。
【０００９】
更に本発明は、前記アンテナは傘骨状アンテナとする被検体病巣用ＲＦ波照射素子を開示する。
【発明の効果】
【００１０】
本発明によれば、安全で確実にＲＦ波による治療の実現がはかれる。
【発明を実施するための最良の形態】
【００１１】
本発明のＲＦ波照射素子の回路構成例を図１に示す。ＲＦ発振源（出力源）１は、ＲＦ波、例えば３００ＫＨｚの高周波発振源であり、その出力は、例えば５０Ｗ程度である。６は発振源１の内部インピーダンスである。ＲＦ波には現実にラジオ波帯として使っているものもあるため、それらと混信しない周波数を選ぶことが好ましい。
【００１２】
トランス２は、この発振源１の出力側に設けられ、１次側２Ａがつながり、２次側２Ｂが病巣部への高周波出力側となる。２次側２Ｂの中点３はアース（Ｅ）されている。点線部４が被検体病巣部に穿刺される部分であり、ＲＦ波を病巣部に照射するための照射端５を有する。トランス２の２次側から負荷である照射端５の直前（体内に入らない部位の先端）までの電気経路は、その周囲を、対地シールド部７によってシールドされている。このシールド部７は接地線につながり、シールド内の回路部を大地から完全に浮かせた状態にさせる。２次側２Ｂの２端をＫ点、Ｍ点とすると、負荷である照射端５には、次の２つの経路でＲＦ波が送られる。
（１）Ｅ→２Ｂ１→Ｋ→照射端５
（２）Ｅ←２Ｂ２←Ｍ←照射端５
かかる２つの経路（１）、（２）とは、電気回路的には、アースＥからの平衡伝送法による経路である。
【００１３】
図１の平衡伝送によるノイズ除去を図２にて説明する。図２は、ノイズ除去説明用等価回路であり、３０と３１とがトランス２の中点接地の正極側等価電源と負極側等価電源とを示す。電源３２は、外部ノイズの等価電源、経路３３、３４はトランス２の二次側の両端からのＫ点、Ｍ点を通る伝送経路、負荷５は、病巣に対する照射端である。更に、接地経路３５は、トランスの二次側中央接地点及びトランス２の二次出力側から負荷直前までの経路の周囲を対地シールドするシールド部７による経路を示す。
【００１４】
トランス２の二次側出力電圧をＶｓとすると、正極及び負極側等価電源３０、３１の電圧Ｖ１、Ｖ２は、
Ｖ１＝＋Ｖｓ／２
Ｖ２＝−Ｖｓ／２
２つの経路及び負荷５を流れる電流ｉは、
ｉ＝（ｉｓ／２）＋（ｉｓ／２）
である。但し、（ｉｓ／２）は、Ｖ１、Ｖ２と負荷５とで定まる電流である。かかる２回線平衡回路に対して、外部ノイズ源３２は、トランス中心接地点に直列に接続されていると仮想的に考えてよく、この結果、電源３０、３１を通して負荷に向かって同一極性且つ同一値のノイズ電流ｉｎが流れ、負荷５では、両者は相殺される。この相殺によって、外部ノイズ源３２によるノイズ電流は、負荷５に流れず、影響を与えない。
【００１５】
図３は、発振部分を含む全体に対地シールドを施した回路例図である。この回路は、ＲＦ発振部３６とＲＦ帯域通過フィルタ（例えばコンデンサとリアクタンスより成る）３８Ａと低域フィルタ３８Ｂ（例えばコンデンサとリアクタンスより成る）と直流電源３７と低域フィルタ（例えばコンデンサとリアクタンスより成る）３９とより成る発振源１と、トランス２、この出力端からのケーブル化した二次側出力経路４０、負荷５より成る。フィルタ３８ＡはＲＦ波のみを通し、フィルタ３８Ｂ及びフィルタ３９は直流のみを通し、これによってそれぞれに関わる経路上のノイズの除去をはかる。二次側出力経路４０は、Ｋ端からの出力経路４０ＡとＭ端からの出力経路４０Ｂとの２つの経路より成るが、図では便宜上、１本で表現してある。尚、フィルタ３８、３９は、種々の回路態様がある。
【００１６】
接地シールド部は７、７Ａ、７Ｂ、７Ｃである。７はケーブル化したトランス出力経路と負荷５とをつなぐ経路の対地シールド部（正確には、穿刺部の手前である非穿刺部の先端までのシールド）であり、７Ａはトランス２の全体の対地シールド部、７Ｂはフィルタ３８全体の対地シールド部、７Ｃはフィルタ３９全体の対地シールド部である。これらのシールド部は、例えばそれぞれの全体回路を覆う金属導体（環状や箱状化したもの）より成る。尚、この接地シールド部７Ａ、７Ｂ、７Ｃも図７や図１１の如く、周囲を絶縁体部で覆う構成も当然にある。
【００１７】
図３の構成によれば、発振源から負荷直前に至る全経路が対地シールド化され、外部ノイズの混入を完全に防止できるとの利点を持つ。
【００１８】
尚、シールド部７等を、対地シールドとしたが、電磁シールド機能を持たせれば又は機能を付加すれば、外部からの電磁波のシールドを達成できる。
【００１９】
参考までに、従来使用されているＲＦ波照射素子の回路構成を図４に示す。この回路は、ＲＦ発振源１に直列に内部インピーダンス６を有し、照射端５には、１ループでＲＦ波を提供する。接点Ｅには、インピーダンス６の一端接地構成である。
かかる図４の回路は、電気回路的には、不平衡伝送法による経路を有することになる。
【００２０】
本発明の平衡伝送法を採用する回路によれば、経路（１）（２）には、それぞれ同一電流ｉが向きを変えてバランスよく流れ、ノイズも乗りにくい（キャンセルできる）。一方、図４の回路での不平衡伝送法では、１ループ構成であり、ノイズが乗りやすく、除去も難しい。本発明の回路ではノイズが乗りにくいため、所期の電力のＲＦ波を設計通り印加できる利点を持つ。一方、図４によればノイズが乗りやすいため設計通りの電力のＲＦ波の照射が困難である。更にノイズによる電力変動も避けられない。
【００２１】
次に、本発明のプローブ化した照射素子を説明する。
図５は、プローブ化した照射素子の外観図を示す。素子本体１０は、穿刺部１１と非穿刺部１２とより成り、非穿刺部１２が穿刺部１１とＲＦ発振源１側のトランス２とをつなぐ部位である。具体的には、トランス２の２次側出力端Ｋ、Ｍにつながるコネクタ部１３を、支持部１２の端部１４に挿入することで電気的結合をはかる。
【００２２】
非穿刺部１２は、コネクタ１３からのＫ点、Ｍ点を通る２つの電気経路ｋ、ｍ及び接地導体部、並びにそれらの外部絶縁体を有するが、図５では省略し、後述の図で詳述する。
穿刺部１１は、その先端側又は全体が被検体内に穿刺すべき部材であり、微小開口の先端１１ａが穿刺可能なように針状化し、その先端に至る途中の経路が中空部１１ｂを有する第１導体部１１Ａと、この導体部１１Ａの中空内部を貫通する第２導体線１１Ｂと、より成る。導体部１１Ａは、非穿刺部１２の部材内でコネクタ１３からのＭ点に電気的につながり、この中空内を貫通する。第２導体線１１Ｂは、鋭く硬い金属線より成り、非穿刺部１２の部材内でコネクタＢからのＫ点につながる。導体部１１Ａの先端１１ａは内部中空につながる微小な開口を有し、この開口を通して第２導体線１１Ｂの先端が外部へ突出可能になっている。第１導体部１１Ａの開口先端１１ａが第１照射端、第２導体線１１Ｂの先端が第２照射端となる。当然に、第１導体部１１Ａと第２導体部１１Ｂとは電気的に非接触、例えば絶縁体層で区分されている。
【００２３】
図６は、かかる第１導体部１１Ａから突出した状態の第２導体部１１Ｂの様子を示す。ここで、第２導体部１１Ｂの先端１１ｂはＲＦ波放射面積及び方向性確保のための傘骨状のアンテナ１１ｃを具える。アンテナ１１ｃは第１導体部１１Ａの内部中空部内にあっては閉じた傘のように束ねられており、その先端開口を突出してから開いて傘骨状となる。この中空部内での第２導体線１１Ｂの先端開口方向への前進移動、開口から内側への戻り退却移動は御者の手動にてのやり方もあれば、マニュプレータによる自動操作のやり方もある。ここで、治療部位は開いた傘骨状アンテナ１１ｃと第１導体部１１Ｂの先端１１ａとの間に介在する。即ち、穿刺部１１の第１照射端１１ａを前進移動により穿刺させ、治療部位の直前で停止させる。この停止した状態で第２導体線１１Ｂを、第１導体部１１Ａの中空に沿って前進させ、その先端開口により突出させ治療部位を貫通させる。この貫通したことを確認して傘骨状アンテナ１１ｃを開く。かくして、治療部位を挟んで、開いた傘骨状アンテナ１１ｃと第１照射端１１ａとが対向したことになり、この状態で、ＲＦ波を発振させる。かくして、対向する傘骨状アンテナ１１ｃと第１照射端１１ａとからＲＦ波が放射され、治療部位の癌組織の壊死等の処置を行う。
【００２４】
図７はプローブとしての構成例を示す。プローブは、非穿刺部１２と穿刺部１１とより成り、非穿刺部１２はＲＦ給電端子としてのｋ、ｍ端１４を持ち、その周囲は絶縁体層２１であり、一種のケーブル構成をなす。絶縁体層２１の周囲は円環状の金属導体層２０であり、更に最外周層として、絶縁体層２３を持つ。
絶縁体層２３の外周には、ワンタッチ操作部２５、２６を持つ。操作部２５は、第２照射端１１ｂの、第１導体部１１Ａ内での前進及び後退移動の操作ボタン、操作部２６は傘骨状アンテナ１１ｃの開閉操作ボタンである。これらの操作機構は図示していない。尚、給電端子ｋの差し込み手前側で第２照射端１１ｃの直接移動操作を行うやり方、傘骨状アンテナ１１ｃの開閉用の操作系をこの差し込み手前側に持たせるやり方もありうる。更に、第２導体線１１Ｂを直接に手で押し、引きして前後退させるやり方もある。
【００２５】
金属導体管２０は、図３での対地シールド部７を形成する接地導体であり、円環状としたことで、広い接地面積を持たせた。金属導体層２０は支持部１２だけに設けられており、穿刺部１１には延設していない。理由は穿刺部１１は被検体内に穿刺する部位であり、接地導体と被検体との被接触化をはかるためである。これにより接地導体の設けられている個所では周囲からのノイズの混入を広い面積をもって抑止できる。
穿刺部１１と支持部１０との境界では、第１照射端１１Ａと接地導体１８の端部とが直接接触しないように、絶縁体層２４で両者の分離をはかっている。
【００２６】
図８は、第１照射端１１ａに特徴を持つ構成例である。第２導体線１１Ｂには第２照射端１１ｂの照射面積及び方向性を確保するための傘骨状アンテナ１１ｃを設けたが、図８は第１照射端１１ａの先端に、第２の傘骨状アンテナ１１ｄを設けた。傘骨状アンテナ１１ｄは、開閉自在であり、第２照射端１１ａがその先端開口から突出し治療部位５０を突きぬけてから、傘が開く。このアンテナ１１ｄの開閉操作のために操作ボタンをもつことは図５と同様である。
傘骨状アンテナ１１ｄがないと、第１照射端の先端放射端面積は小さく、充分な放射エネルギー及び放射広さを確保できないこともありうるが、傘骨状アンテナ１１ｄを設けたことで充分な放射エネルギー及び放射広さを確保できる利点がある。
尚、傘骨アンテナ１１ｃ、１１ｄのアンテナ形状や構造は、原理上は照射部位への放射ビームの照射の最大効率をはかれるものであればよいが、照射部位の広がりや状態に対応して他の形状や構造を採用することを否定するものではない。
【００２７】
交換可能とした照射素子プローブの具体例を図１１に示す。照射素子プローブ３０は、Ｋ、Ｍ端につながるケーブル化したケーブル経路３１にワンタッチ挿着可能とするもので、いわゆる使い捨てを可能化したものである。挿着は、ケーブル経路３１の端部に設けたコネクタ３２に、プローブ３０側の端部３５を差し込むことで実現し、取りはずしは端部３５をコネクタ３２から抜くことで実現する。
プローブ３０は、非穿刺部３３と穿刺部３４とより成る。非穿刺部３３は、円周外部にスライド式の操作部３６、３７を持ち、穿刺部３４は、中空導体部３４Ａとその中を貫通し先端開口から外部に突出する針状導体部３４Ｂを持つ。操作部３６は、中空導体部３４Ａの先端のアンテナの開閉操作部であり、スライド３６Ａを矢印の如く移動させることで、この操作部３６Ａにつながるアンテナが傘骨状に開き、その逆方向に移動させることで、傘骨状のアンテナが閉じる。操作部３７は針状導体部３４Ｂの先端のアンテナの開閉操作部であり、スライド３７Ａを矢印の如く移動させることで、この操作部３６Ｂにつながるアンテナが傘骨状に開き、その逆方向に移動させることで、傘骨状アンテナが閉じる。ここで傘骨状アンテナとは、図８に示す如きものである。
更に、中空導体部３４Ａは先端開口に向かって徐々に細くなっており、穿刺しやすい構造である。かかる構造は、図５や図６の素子でも適用可能である。
非穿刺部３３の内部構造は、図７の事例と似ている。即ち、ｈ、ｍ端につながる２つの導体部がケーブル化しており、その導体部の周囲は絶縁体層とし、更にこの絶縁体層の周囲は接地導体層とし、この接地導体層の周囲は絶縁体層を形成した。
【００２８】
図９は、照射装置としての実施例図である。照射装置は、ＲＦ波照射素子１００と、これにＲＦ電力を供給するＲＦ電力部１０１、そのＲＦ発生源１０２、出力制御部１０３、医師操作台１０４、処理部１０５、より成る。
医師操作台１０４は、穿刺操作を行うための操作部であり、処理部１０５は、その操作のための各種の処理を行う装置である。出力制御部１０３は、ＲＦ発生源１０２の発振及び停止の指示、並び発振エネルギの制御、更にＲＦ電力部１０１での電力制御（例えばＡＧＣ）、並びに照射素子１００のアンテナの開閉制御、移動制御を行う。これらの制御は、医師操作台１０４による医師の指令、及び又は処理部１０５からの治療計画による制御指令に基づく。出力制御部１０３は、ＲＦ発生源１０２、ＲＦ電力部１０１の状態、照射素子１００の状態を、処理部１０５へ送る。
【００２９】
以上の実施例は、１つの平衡伝送回路に、１つのプローブを設けた事例であったが、１つの平衡伝送回路に、２つのプローブを設けることもできる。２つのプローブは、高周波トランスの２次側の２つの出力端子それぞれに設ける。上記実施例は、この２つの出力端子の一方を穿刺針へと接続し、他方をこの穿刺針の周囲の円筒導体部へと接続し、両者をプローブとして組み込む構成であった。
新しい実施例は、高周波トランスの２次側の出力端子それぞれに独立した１つのプローブ（即ち合計２つのプローブ）を設けて、この２つのプローブによって、癌病巣を挟み込み、この２つのプローブ相互間で高周波を流し合い照射せしめることにした。この場合、２つのプローブは、それぞれ先端に１本の穿刺針が存在し、傘骨状アンテナは存在しない。先の実施例の１つは、傘骨状アンテナを開き、電波放射効率の向上をはかったが、この新しい実施例は、傘骨状アンテナを廃して機構を簡単化すると共に、２つのプローブで病巣を挟み込むことで、安全で確実な照射を可能化せしめるねらいを持つ。
【００３０】
かかる照射素子の基本構成図を図１２に示す。図１２の照射素子は、２次側中点接地端５０を持つ高周波トランスの２次側の２つの出力経路２ａ、２ｂの先端に、非穿刺部５３、５４を介して、第１、第２の照射端５１、５２を設けた事例である。中継部としての非穿刺部５３、５４の外周は接地しない点が、１つの特徴である。図１では高周波トランスの２次側の２つの出力経路を１つの照射端５両端につなぐ構成であった。図１２では、２つの出力経路２ａ、２ｂに別々の照射端５１、５２を接続したものである。
２つの照射端５１、５２は、極性的には、高周波交流波である故に一方が正極性であるとき他方は必ず負極性となる。そこで、照射端５１、５２の使用法として、図１３に示すように病巣部６０をこの２つの照射端５１、５２で挟み込み、高周波信号をこの端子間で照射させる。２つの照射端５１、５２の極性が異なるため、一方が（＋）で他方が（−）とあり、病巣部への効率のよい高周波印加が可能となる。
【００３１】
図１４は、図１２の装置を２組用意して合計４つのプローブを持つ別実施例である。この４つのプローブは、病巣部６０の周囲を例えば９０°間隔（即ち、０°、９０°、１８０°、２７０°）で挟み込み、高周波を印加する使用法をとる。この実施例の重要な特徴は一次側の２つの高周波源が完全に同期化している点、及び４つのプローブで、病巣部６０へまんべんなく高周波を照射できるようにするべく、スイッチ回路５５を持たせた点である。高周波源の周期化とは、位相及び振り幅が時間軸上で両者で完全一致していることであり、スイッチ回路５５による切替えによっての電流の流れの円滑化のためである。
【００３２】
スイッチ回路５５の切替え動作を図１５に示す。スイッチ回路５５は、３つのモード１、２、３の切替えが時間幅ｔ１毎に自動的に行われるものであって、モード１では、端子Ｉ１−Ｏ１、端子Ｉ２−Ｏ２、端子Ｉ３−Ｏ３、端子Ｉ４−Ｏ４が接続され、この結果、５１Ａと５２Ａとが電流対、５１Ｂと５２Ｂとがもう１つの電流対とする。これが図１６（ａ）である。モード２では、図１６（ｂ）に示したように、５１Ａと５１Ｂとが１つの電流対、５２Ａと５２Ｂとがもう１つの電流対となるように、端子Ｉ１−Ｉ４と端子Ｏ１−Ｏ４との組合せを行う。モード３では、図１６（ｃ）に示したように、５１Ａと５２Ｂ、５２Ａと５３Ｂとがそれぞれ電流対となるように端子Ｉ１−Ｉ４と端子Ｏ１−Ｏ４との組合せを行う。
かくして、ある時刻（０〜ｔ１）では、図１６（ａ）の如く、時刻（ｔ１−２ｔ１）では、図１６（ｂ）の如く、時刻（２ｔ１−３ｔ１）では図１６（ｃ）の如く、電流が流れる。こうした３つのモードを複数回繰り返すことで、病巣部６０には、全体にまんべんなく高周波照射が行われ、治療効果を発揮する。
【００３３】
図１４の４照射端の事例は、術者１人によって操作することは簡単でない。そこで、４照射端においては、図１４の２つの回路を１つの機構ユニットに組み込むと共に、スイッチ回路５５の自動切替え、及び４照射端を互いに連動させて動作させる仕組み、例えばプログラムとその連動機構を作っておけばよい。
図１７は図１２や図１４に示す円筒プローブの具体例を示す。このプローブ１００は、同軸ケーブル６０と、これにつながる把持部６１と、非穿刺部としての中継部６２と穿刺部６３と、より成る。中継部６２は、ケーブル６０と穿刺部６３とをつなぐ部位であり、把持部６１は、この中継部６２の外周に、術者が把持するための外径部を有する部位である。
把持部６１と中継部６２とは、いわゆる非穿刺部であり、体内への穿刺部位は、穿刺部６３である。穿刺部６３の先端６３Ａは、針状化している。
図１８は、図１７の円筒状プローブの断面例を示し、（ａ）図がI−I断面、（ｂ）図がII−II断面、（ｃ）図がI−I断面の他の事例を示す。（ａ）図では、中心にトランス２の出力端又はスイッチ回路５５につながるリード線（芯線）６２Ａがあり、その周囲に接地線としての導体層６２Ｂ、更に外周にプラスチック層６２Ｃを有する。（ｃ）図では、導体層６２Ｂに接触してプラスチック層６２Ｃを設けた事例である。（ｂ）図は、穿刺部６３の円筒断面であって、金属導体６３Ｃより成る。この円筒形状が先端に行く程に細くなって先端針状化となる。
【００３４】
図１９は中継部６２と穿刺部６３との継ぎ目の部位IIIの拡大図である。この継ぎ目では、リード線（芯線）６２Ａが円筒金属導体層６３Ｃの内部に接続しており、且つプラスチック層６２Ｃが両者の結合をはかっている。
図１９の照射素子としてのプローブは、２つ又は４つを対として使用し、術者が把持部６１を把持し、病巣部へとその穿刺針を突きさし、癌病巣に対して側方から支持した状態とする。他方の穿刺針も別側へと突きさし、癌病巣部を両側から挟み込み、高周波を照射する。
【００３５】
図２０は、ガイド針を有するプローブの実施例を示す。ガイド針とは、穿刺する際に、穿刺針に代わって、病巣部までプローブを誘導するものである。従って、この場合、プローブの先端は、図１２の如く針状化しておらず、プローブの先端からガイド針が突出して穿刺用となる。このプローブ１０１は、非穿刺部をなす中継部６２の手前側に、差し込み部６５を取り付けた。差し込み部６５は高周波信号を導く同軸ケーブル６０（図１７）が結合する結合部６５Ａと、
ガイド針６４を差し込む差し込み口６５Ｂと、を有する。この差し込み口６５Ｂに細長い形状で先端が針状化しているガイド針６４を差し込み、穿刺ガイドとして使用する。ガイド針６４は、把手６４Ｃとストッパー６４Ｄとガイド針本体６４Ｂとを有し、矢印の如く差し込んで、使用し、不使用時にはそれを引き抜く。
【００３６】
図２１は、図２０の差し込み部６５のI−I断面図（ａ）、中継部６２のII−II断面図（ｂ）、穿刺部６３のIII−III断面図（ｃ）、穿刺部６３の先端のIV−IV断面図（ａ）を示す。図２２は、中継部６２と穿刺部６３との継ぎ目部の拡大断面図である。
これらの図２１、図２２からわかるように、ガイド針６４は、プローブの中心を通るように構成されており、高周波リード線６０Ａは、それよりも外側で非接触となるように配置される。穿刺部６３の先端は、開孔しており、この開孔端からガイド針６４の本体６４Ｂの針状化した先端が突出するようになっている。
かかるガイド針を使用するときの治療事例を図２３に示す。病巣部６０の周囲二方向（例えば対向関係にある部位）位置にプローブ１０２、１０３が達するように、ガイド針７０、７１でプローブを誘導し、病巣部６０に、プローブの先端が到達した時点でガイド針７０、７１を引き抜き、ケーブル７２、７３からの高周波印加を行う。
この実施例によれば、ガイド針６４をプローブ内に挿入して病巣部まで穿刺してガイドを行い、その後でガイド針を引き抜き（全部又は後退させる）。この後でプローブの先端から高周波照射を行うことで、治療を実現する。
【００３７】
図２４は、図１４の如く４端子を持つ照射装置としての実施例図である。照射装置は、スイッチ回路５５、ＲＦ波照射素子１００−１〜１００−４と、これにＲＦ電力を供給するＲＦ電力部１０１、そのＲＦ発生源１０２、出力制御部１０３、医師操作台１０４、処理部１０５、４端子位置決め制御部１１０より成る。この他に穿刺ガイド針の駆動制御部１１１を持つ例もある。
医師操作台１０４は、穿刺操作を行うための操作部であり、処理部１０５は、その操作のための各種の処理を行う装置である。出力制御部１０３は、スイッチ回路５５の切替制御、ＲＦ発生源１０２の発振及び停止の指示、並び発振エネルギの制御、更にＲＦ電力部１０１での電力制御（例えばＡＧＣ）、を行う。これらの制御は、医師操作台１０４による医師の指令、及び又は処理部１０５からの治療計画による制御指令に基づく。出力制御部１０３は、ＲＦ発生源１０２、ＲＦ電力部１０１の状態、照射素子１００の状態を、処理部１０５へ送る。更に操作部１０４から４端子５１Ａ〜５２Ｂの位置決め制御部を制御部１１０に行わせる。また穿刺ガイド針の前進、後退、穿刺の制御を行うこともできる。
【００３８】
図１０は、本発明の処理部１０５の機能原理図である。
処理部１０５の中心となるものが、並列演算機構１１４であり、これは、本件出願人の先願である特願２００６−３４９１１の処理を行う新しい装置である。
特願２００６−３４９１１は、穿刺点（挿入点）と治療対象部位である目標点とを結ぶ、ある所定の角度（例えば９０°）より成る２つの断層面の形成と、この２つの断層面上での画素データの取得と、この２つの断層面上の取得した画素データの断層画像としての表示と、を基本とする発明を開示する。所定の角度と異ならしめることで、穿刺点から目標点に至る経路の確認やその経路上の障害物の有無をチェックでき治療計画に供する。障害物があれば経路を変更すべく別角度の２つの断層面の形成、画素データの取得、表示を行って再度確認する。
【００３９】
かかる先願は、現実の穿刺動作の段階での穿刺動作、穿刺ルートのリアルタイム確認にも利用できる。現実の穿刺動作のリアルタイム確認は、いわゆるＣＴ監視下で行う。ＣＴ監視とは、穿刺を進めながら、その被検体内の進行の様子のＣＴ画像の高速取得を行いこれを三次元的に表示させて、穿刺の様子を監視するものである。
【００４０】
かかる図１０は、このＣＴ監視下での穿刺動作のリアルタイム監視を行うための機能図でもある。並列演算機構１１４は、このリアルタイム監視の処理中心であって、以下の４つの機能を果す。
（１）Ｚ方向（体軸方向）の所定ピッチ、例えば０．１ｍｍピッチ被検体ボクセルデータの管理
（２）被検体姿勢変動による座標軸の修正（リアルタイム）、例えば１分以内
（３）穿刺点、目標点を通る所定の角度をなす、２つの平面の形成とその画像の取得
（４）アンテナ１１ｃ、１１Ｂの制御と電力制御
【００４１】
図１０では前記並列演算機構１１６の他に、ＣＴ装置１１０、断層像データ取り込み機構１１１、高速レイド構成のディスタ群１１２、１１４，表示部１１５、１１６、操作制御機構１１７、穿刺プローブ幾何学的位置取込機構１１８を持つ。
ＣＴ装置１１０は、ＣＴ装置制御部１１０Ａ、断層像画像表示部１１０Ｂを持ち、被検体の体軸方向（Ｚ方向）に沿う。例えば０．１ｍｍピッチの断層像を取得する。この断層像は、取り込み機構１１１を介して高速レイド構成ディスク群１１２へと送られ蓄積される。高速レイド構成ディスク群１１３は、過去のＣＴ断層像を蓄積する。
【００４２】
先ず、初期設定を説明する。
初期設定では、過去にＣＴ装置１１０で撮影した被検体の０．１ｍｍピッチ単位で取得した断層像を表示部１１０Ｂで表示させて、穿刺入口（点）と病巣部位である目標点及びそれを結ぶルートを決定する。この決定は、穿刺点と目標点とを通る、例えば直交する２つの平面Ｑ１、Ｑ２を求め、この２つの平面上での画素データを近接するＣＴ断層面から求めて２平面での断層像Ｒ１、Ｒ２を得る。断層像Ｒ１、Ｒ２を表示部１１５と１１６とに別々に表示する。更に、この断層像上に穿刺点と目標点とを示すマークを付ける。かくして、２つの断層像Ｒ１、Ｒ２との両者を観察することで、穿刺点と目標点とを結ぶ経路の確認ができ、仮に障害物があれば別の穿刺点、目標点を選ぶ。そして障害物のない、治療に適切なルートの決定をする。
【００４３】
かくして得た初期設定した２つの画像Ｒ１、Ｒ２を表示させておき、実際の穿刺動作に入る。これは、操作制御機構１１７を利用する。穿刺動作により照射素子は被検体内に穿刺してゆき、その位置は取込み機構１１８により取り込まれ並列演算機構１１４へと送られ、位置確認に利用する。更に、照射素子自体を含むその前後の複数断層面のＣＴ断層像がリアルタイムで撮影され、２つの平面Ｒ１、Ｒ２上でリアルタイム画像データを得、これを照射素子の進行に合せて平面Ｒ１、Ｒ２上の画像として表示する。これによって、ＣＴ監視下でも穿刺動作を実行する。
【００４４】
尚、図１０の処理部は一例であって、特願平２００６−３４９１１と同様の構成、同様の処理フローによって実現できることは云うまでもない。
【図面の簡単な説明】
【００４５】
【図１】本発明のＲＦ照射素子の電気回路例を示す図である。
【図２】本発明のノイズ混入防止の説明用等価回路図である。
【図３】本発明の全体シールドの構成例図である。
【図４】他のＲＦ照射素子の電気回路を示す図である。
【図５】本発明のプローブ化したＲＦ照射素子例を示す図である。
【図６】本発明のプローブ化したＲＦ照射素子の第２照射端の構成例を示す図である。
【図７】本発明のプローブ化したＲＦ照射素子の非穿刺部の詳細例図である。
【図８】本発明のプローブ化したＲＦ照射素子の第１照射端の構成例を示す図である。
【図９】本発明のＲＦ照射装置例を示す図である。
【図１０】本発明の処理部の機能構成図である。
【図１１】本発明のＲＦ波照射素子のプローブの具体例図である。
【図１２】本発明の１つの高周波電源にたいする２つの照射端子５１、５２を持つ回路図である。
【図１３】図１２の照射端子による病巣部６０への配置例図である。
【図１４】本発明の４つの照射端子５１Ａ〜５２Ｂを持つ回路例図である。
【図１５】図１４のスイッチ回路５５の切替モードを示す図である。
【図１６】図１４のスイッチ回路５５での病巣部６０への各種照射例図である。
【図１７】本発明穿刺ガイド針を持つ照射素子例を示す図である。
【図１８】図１７の各種断面図である。
【図１９】図１７の継ぎ目の断面図である。
【図２０】本発明の穿刺ガイド針を持つ照射素子の具体例図である。
【図２１】図２０の各種断面図である。
【図２２】図２０の継ぎ目の断面図である。
【図２３】図２０の照射素子による病巣部６０への配置例を示す図である。
【図２４】図１４の４端子の照射素子を持つ照射装置の実施例図である。
【符号の説明】
【００４６】
１    ＲＦ発生源
２    トランス
５    照射端
１１    穿刺部
１２    非穿刺部
１１ｃ、１１ｃ    傘骨状アンテナ
【図１】
2007296318.tif 000003
【図２】
2007296318.tif 000004
【図３】
2007296318.tif 000005
【図４】
2007296318.tif 000006
【図５】
2007296318.tif 000007
【図６】
2007296318.tif 000008
【図７】
2007296318.tif 000009
【図８】
2007296318.tif 000010
【図９】
2007296318.tif 000011
【図１０】
2007296318.tif 000012
【図１１】
2007296318.tif 000013
【図１２】
2007296318.tif 000014
【図１３】
2007296318.tif 000015
【図１４】
2007296318.tif 000016
【図１５】
2007296318.tif 000017
【図１６】
2007296318.tif 000018
【図１７】
2007296318.tif 000019
【図１８】
2007296318.tif 000020
【図１９】
2007296318.tif 000021
【図２０】
2007296318.tif 000022
【図２１】
2007296318.tif 000023
【図２２】
2007296318.tif 000024
【図２３】
2007296318.tif 000025
【図２４】
2007296318.tif 000026